(57)【要約】【課題】排出紙を排紙台上で落下させて積載する排紙装置において、ファーストプリントから安定して落下させ、排紙揃えを良好にすることを目的とする。【解決手段】排紙台２の上方で移動部材６を昇降機構８により上下動自在とする。ファーストプリントＰ１が排出される前に、用紙の排紙速度に合わせた始動タイミング及び用紙の落下速度に合わせた下降速度で移動部材を下降させる。用紙が正規状態で落下している時に生じるのと同じ気流Ｗが一枚目から発生する。ファーストプリントの排紙を正規に排紙された２枚目以降と同様に行なえるので、印刷始めの排紙揃え悪化が低減し、用紙の飛び出しや用紙の重なりによる紙折れなどが防止できる。【選択図】図６
2013159429.tif 000002
【特許請求の範囲】
【請求項１】
印刷装置から排出される印刷済みの用紙を排紙台の上に落下させて積載させ排紙装置において、
前記排紙台の上方で下降して下向きの空気の流れを作る移動部材と、
前記移動部材を前記排紙台の上方で上下方向に移動させる駆動手段と、
一枚目に印刷される用紙が排出される前に前記移動部材が下降するように前記駆動手段を制御する制御手段と、
を具備することを特徴とする排紙装置。
【請求項２】
前記制御手段が、用紙の種類に応じて前記移動部材の下降速度を制御することを特徴とする請求項１記載の排紙装置。
【請求項３】
前記制御手段が、用紙の排紙速度に合わせた始動タイミング及び用紙の落下速度に合わせた下降速度で、前記移動部材が下降するように前記駆動手段を制御することを特徴とする請求項２記載の排紙装置。
【発明の詳細な説明】
【技術分野】
【０００１】
本発明は、孔版印刷装置等の印刷装置から排出された印刷済みの用紙を排紙台の上に落下させて積載させる排紙装置に係り、特に最初に印刷されて排紙された一枚目の印刷用紙から排紙揃えが良好であり、排紙台からの飛び出しや排紙台上での用紙の不規則な重なりによる折れ等が発生しにくい排紙装置に関するものである。
【背景技術】
【０００２】
下記特許文献１には、画像形成装置に設けられる排紙装置の発明が開示されている。この排紙装置は、用紙２９を排出する排出ロール２６と、排出ロール２６によって排出された用紙が積載される用紙積載台２８と、用紙積載台２８に積載される用紙の後端位置を規制する後端規制部材３２と、後端規制部材３２の基準面３２Ａと用紙積載台２８の用紙積載面とに面する隅部から空気を排気する排気手段（３６，３７）とを備えている。
【０００３】
この排紙装置によれば、後端規制部材の基準面と用紙積載台の用紙積載面とに面する隅部３８に発生する空気溜まりを空気排気手段によって排出できるので、排出された用紙の先端が先に落下した後、後端が落下する際に、その落下を抑制する空気溜まりの影響を排除できる。このため、用紙積載台の上に排出された用紙が接地するまでの所要時間のバラツキを低減できるものとされている。
【０００４】
しかしながら、この排紙装置は、用紙積載台において、落下してくる用紙の後端の下側に発生する空気溜まりを排気して落下速度を短縮できるものとしているが、比較的排紙速度の遅い印刷装置に適用されることを想定しており、かかる印刷装置において排出された用紙の落下所要時間のバラツキを抑えることを目的とするものであって、格別、高速排出を目的とした印刷装置に適用することを目指したものではない。
【０００５】
例えば孔版印刷装置等のような高速印刷装置では、排紙台上に印刷済みの用紙を排出し、次々に落下させて積載させていく方式を採用しているが、このような高速タイプの印刷装置においては、排出された用紙が排紙台上に遅滞なく落下して次々と整然と積み重なっていく必要がある。
【０００６】
しかしながら、特許文献１に記載された前記排紙装置は、かかる高速タイプの印刷装置に適用される排紙装置としては排紙の落下速度や排紙性の点で好適とは言いかねるものであった。そして、孔版印刷装置のように印刷された用紙を高速で排紙台上に排出し、落下させて排紙台上に積載させていく方式においては、排紙台に排紙される用紙に対する空気抵抗の影響が大きいため、空気の流れによっては排紙揃えの良し悪しが左右されてしまうことがあるという固有の問題がある。
【０００７】
下記特許文献２には、このような課題に対する一つの解決手段を提供するものである。この発明によれば、孔版印刷装置等の排紙台において、一対のサイドフェンス５７の各外側に、開口５７ａを覆い、かつこれらサイドフェンスの各外側面との間に通気可能な間隔Ｘをあけて防風壁部材８０を設けたり、一対のサイドフェンス５７の各外側において、開口５７ａに近接してエアカーテン８６で上下方向の空気流を形成している。これによって、外乱風の影響を取り除いて空気の流れによる外乱を防ぎ、排紙台上での排紙揃えが悪化する不具合を防ぐことができるものとされている。
【先行技術文献】
【特許文献】
【０００８】
【特許文献１】特開２００９−７８８７３号公報
【特許文献２】特開２００７−３２０７６３号公報
【発明の概要】
【発明が解決しようとする課題】
【０００９】
上記特許文献２に記載された発明によれば、図７（ａ）に示すように、一枚目の排出紙Ｐ１（ファーストプリントと称する）の排紙時には、まだ排紙が始まっていないために、直前の排紙による気流が発生していない。そのため、排紙台１００の上部には停滞した空気の塊２００が存在している。排紙台１００上での用紙の排紙揃えを向上させるためには、排紙台１００上で正しい空気の流れが必要であるが、その気流が作られていない場合には、同図に示すように、ファーストプリントＰ１は、空気の塊２００の抵抗で先端が浮き上がり、排紙台１００からの用紙が飛び出してしまい、その後の挙動が予測不能の状態になってしまう。また、図７（ａ）に示すファーストプリントＰ１’のように先端が下方にカールしてしまう場合もある。このため、ファーストプリントの落下挙動や揃えが悪化するとともに、気流が安定しない状態にあるファーストプリントから数枚目までは排紙揃えが引き続き不良な状態になってしまう。このため、図７（ｂ）に示すように、ファーストプリントＰ１’の上に次々に新たな排出紙Ｐが積載されていき、その排出紙Ｐの重さで排紙揃えの悪化による紙のカールがつぶされるため、印刷初期においては紙折れが起きてしまうこともあった。
【００１０】
本発明は、以上説明したような課題を解決することを目的としており、孔版印刷装置等の印刷装置から排出された印刷済みの用紙を排紙台の上に落下させて積載させる排紙装置において、最初に印刷されて排紙された一枚目の印刷用紙から排紙揃えが良好であり、排紙台からの飛び出しや排紙台上での用紙の不規則な重なりによる折れ等が発生しにくい排紙装置を提供することを目的としている。
【課題を解決するための手段】
【００１１】
請求項１に記載された排紙装置は、
印刷装置から排出される印刷済みの用紙を排紙台の上に落下させて積載させる排紙装置において、
前記排紙台の上方で下降して下向きの空気の流れを作る移動部材と、
前記移動部材を前記排紙台の上方で上下方向に移動させる駆動手段と、
一枚目に印刷される用紙が排出される前に前記移動部材が下降するように前記駆動手段を制御する制御手段と、
を具備することを特徴としている。
【００１２】
請求項２に記載された排紙装置は、請求項１記載の排紙装置において、
前記制御手段が、用紙の種類に応じて前記移動部材の下降速度を制御することを特徴としている。
【００１３】
請求項３に記載された排紙装置は、請求項２記載の排紙装置において、
前記制御手段が、用紙の排紙速度に合わせた始動タイミング及び用紙の落下速度に合わせた下降速度で、前記移動部材が下降するように前記駆動手段を制御することを特徴としている。
【発明の効果】
【００１４】
請求項１に記載された排紙装置によれば、一枚目に印刷される用紙が排出される前に移動部材を排紙台上で下降させるので、用紙が停滞した空気の影響を受けずに正規に排出されて正規の状態で落下している時に排紙台上に生じる気流と同じ気流を、一枚目の排紙の前に発生させることができる。これにより、一枚目の排紙を正規に排紙された２枚目以降と同様に行なうことができるため、印刷始めの排紙揃え悪化を低減し、不揃いに重なった用紙の上に積載された用紙の重さによる紙折れなどを防ぐことができる。
【００１５】
請求項２に記載された排紙装置によれば、用紙の落下速度を規定する用紙種類に対応する種々の要因、例えば用紙質量、用紙のサイズ等に応じて移動部材の下降速度を設定することができるので、排紙揃えの精度をより向上させることができる。
【００１６】
請求項３に記載された排紙装置によれば、用紙の排紙速度に合わせた始動タイミング及び用紙の落下速度に合わせた下降速度で、一枚目に印刷される用紙が排出される前に移動部材を排紙台上で下降させる。すなわち、一枚目の用紙が排出される前、仮にこの一枚目の用紙が二枚目であった場合に、一枚目の用紙が排紙されたであろうタイミングで移動部材が排紙台上で下降する。そして、その速度は、排紙台上に排出された用紙が落下する際の速度と同じである。このため、用紙が停滞した空気の影響を受けずに正規に排出されて正規の状態で落下している時に排紙台上に生じる気流と同じ気流を、一枚目の排紙の前に発生させることができる。この移動部材が排紙台上に生成する下向きの気流は、一枚目の用紙が正しく排出された時に排紙台上に生じるであろう気流と極めて近似したものとなる。従って、正規の状態で２枚目以降に排出された印刷物が受ける気流を一枚目から得ることができる。これにより、一枚目の排紙を正規に排紙された２枚目以降と同様に行なうことができるため、印刷始めの排紙揃え悪化を低減し、不揃いに重なった用紙の上に積載された用紙の重さによる紙折れなどを防ぐことができる。
【図面の簡単な説明】
【００１７】
【図１】本発明の実施形態に係る排紙装置の平面図である。
【図２】本発明の実施形態に係る排紙装置の正面図である。
【図３】図１のＡ−Ａ切断線における本発明の実施形態に係る排紙装置の構造を一部模式的に示す断面図である。
【図４】本発明の実施形態に係る排紙装置の機能ブロック図である。
【図５】本発明の実施形態に係る排紙装置の制御手段の記憶部に格納された制御用データテーブルの一例を示す図である。
【図６】本発明の実施形態に係る排紙装置の作用を示す図である。
【図７】従来の排紙装置の作用とその問題点を示す図である。
【発明を実施するための形態】
【００１８】
図１乃至図６を参照して実施形態の排紙装置１を説明する。
この排紙装置１は、印刷装置から排出される印刷済みの用紙を排紙台２の上に落下させて積載させる排紙装置１である。このような排紙形態の印刷装置としては、印刷速度乃至排紙速度が大きい高速印刷装置、例えば孔版印刷装置等のように、印刷済みの用紙を排紙台上に高速で排出し、次々と落下させる間にインクを乾燥させ、排紙台上に重ねて積載させていくタイプの印刷装置が一例として挙げられる。
【００１９】
図１乃至図３は本実施形態の排紙装置１を示す図であり、図示しない印刷装置からの排紙方向を矢印Ｄで示している。これらの図における表示から分かるように、この排紙装置１は、印刷済みの用紙が排出される印刷装置に取り付けられている。
【００２０】
図１乃至図３に示すように、この排紙装置１は、用紙を積載するためのパネル状の排紙台２を有している。排紙装置１の底部となる排紙台２の底面には、排紙方向Ｄの下流側端部に、排紙方向と直交して板状のエンドフェンス３が設けられている。また、排紙台２の底面には、排紙方向Ｄの両側縁部に、排紙方向Ｄと平行に一対の板状のサイドフェンス４，４が設けられている。詳細は図示しないが、これら一対のサイドフェンス４，４は、排紙される用紙の幅方向の中心線を基準として、排紙方向Ｄと平行な状態を維持しながら、対称的な動作で連動して移動できるようになっており、排紙される用紙の幅に合わせて間隔を調整することができる。より具体的には、図２に示すようにサイドフェンス４には空気抜きの通孔５が形成されているが、通孔５が形成されていない部分が排紙台２の内部の図示しない駆動機構に連結されており、用紙の幅方向に沿ってサイドフェンス４を対称的な動作で連動させることができるようになっている。なお、用紙幅に合わせた一対のサイドフェンス４，４の間隔調整は、印刷装置が有する印刷情報に含まれた用紙種類の情報に応じて自動的に行なってもよいし、手動で行なってもよい。
【００２１】
図１乃至図３に示すように、排紙装置１の排紙台２の底面の上には移動部材６が設けられている。移動部材６は、排紙台２の上方で下降して排紙台２上に下向きの空気の流れを作るための矩形の板状部材である。図１乃至図２に示すように、移動部材６のサイドフェンス４側の両縁部には、位置調整のために移動するサイドフェンス４との干渉を避けるとともに、サイドフェンス４の移動範囲をカバーするため、サイドフェンス４の通孔５を通過し、又はサイドフェンス４の前後端縁に接する櫛歯状の交差板部６ａが設けられている。このため、サイドフェンス４の間隔を調整範囲内でどのように設定しても、少なくともサイドフェンス４の間隔で定まる用紙の積載範囲には移動部材６が存在する状態となるので、この移動部材６が所定の下降動作をすることにより、排紙に対して必要な下降気流を排紙台２上に起こすことができる。
【００２２】
このように、移動部材６は排紙台２の上に下降気流を起こすため、排紙台２の上で所定の下降速度で下降し、また次のプリント開始時には上方の始点に戻るために上昇する。ここで、この移動部材６が設けられている排紙装置１は、印刷装置の外側に露出した状態で取り付けられているため、ユーザーが誤って移動中の移動部材６に接触する可能性がある。そこで、本実施形態では、移動部材６をゴムや樹脂等の弾性材料で構成し、仮にユーザーが移動部材６とサイドフェンス４又はエンドフェンス３との間に指等を挟んだとしても、指等に過重な力が加わりにくいようになっている。
【００２３】
図３に示すように、排紙台２には、前述した移動部材６を排紙台２の上方で上下方向に移動させるための駆動部７が設けられている。駆動部７は、上下方向に伸縮自在とされた駆動手段としての昇降機構８と、この昇降機構８を伸縮させる駆動手段としてのモータ９と、図３には示さないが移動部材６の位置又は昇降機構８の伸縮状態を検出する上下位置センサ１０（後に参照するブロック図の図４には図示）を有している。
【００２４】
昇降機構８は、所定長さの複数のリンクを互いに中点同士及端部同士でピンによって連結したパンタグラフ機構であり、下端の中点のピンを排紙台２の内部の所定位置に回動自在に固定するとともに、上側のリンクの端部を移動部材６の下面に移動可能に取り付けている。昇降機構８は、平板状の移動部材６の移動時の水平を保持するため、２組以上並設することが好ましい。この駆動部７によれば、前記モータ９の駆動力でリンクを移動させることによって昇降機構８を上下方向に伸展又は縮退することができ、以て移動部材６を上下動させることができる。移動部材６の移動（特に下降）のタイミング及び下降速度は、後述する制御手段によってモータ９を制御することにより任意に制御することができる。また、この移動部材６は、下降することによって用紙の落下時に発生する下降気流と同等の下降気流を生成することを目的として設けられたものであるから、移動部材６が下降を開始する位置（下降開始点）は、排紙台２上に用紙が排出される高さと同位置か、又は同位置の上又は下の近傍に設定するのが好ましい。移動部材の下降開始点である上限位置と、下限位置である排紙台２上の位置は、前記上下位置センサの出力によって検出することができるので、そのセンサ出力を移動部材の位置制御に使用することができる。
なお、昇降機構８としてのパンタグラフ機構は一例にすぎず、移動部材６を水平状態で任意の速度で下降させることができる手段であれば、これに限定されるものではない。
【００２５】
図４は、以上説明した排紙台２に設けられた機構と、その制御構成を示す本実施形態の排紙装置１の機能ブロック図である。同図に示すように、本実施形態の排紙装置１は、印刷された用紙を排出して排紙台２上に適切に積載させるための排紙手段１１と、この排紙手段１１を制御するための制御手段１２を備えている。
【００２６】
まず、排紙手段１１は、下降により排紙時の下降気流を作る前述した移動部材６と、移動部材６を駆動する駆動部７を有している。前述したように、駆動部７は、移動部材６を昇降させる駆動手段としての昇降機構８及びモータ９と、移動部材６の位置を検出する上下位置センサ１０を有している。また、排紙手段１１は、移動部材６と駆動部７の他、印刷された用紙を搬送して排紙台２上に送り込む装置である搬送部１３をさらに有している。すなわち、印刷装置から送られた印刷済みの用紙は搬送部１３で搬送され、印刷装置の外にある排紙台２の上に排紙される。
【００２７】
次に、制御手段１２は、操作部１４と、記憶部１５と、制御部１６を有している。操作部１４は、ユーザーの操作によって装置の操作、データの入力、設定等を行なう。記憶部１５は、排紙手段１１の制御に必要な移動部材６の下降速度等の制御データを記憶している。制御部１６は、操作部１４からの入力指示や記憶部１５の情報、また自らが有する記憶手段内の制御プログラム等に基づいて、排紙手段１１の制御を統括して行なう。
【００２８】
図５に示すように、記憶部１５には、移動部材６の下降速度が、印刷情報である用紙質量や印刷速度情報に対応するテーブル形式で格納されている。一般的に質量が相対的に大きい用紙（「紙質」が厚い用紙）は排紙台２上で比較的早く落下し、質量が相対的に小さい用紙（「紙質」が薄い用紙）は排紙台２上で比較的遅く落下する。このように、紙質と落下速度の間には、紙質が厚くなるほど（重くなるほど）落下速度が速くなるという一定の関係がある。図５のテーブルデータでは、左欄に示すように用紙質量に対応する紙質を「薄い」、「ふつう」、「厚い」の３種類に分け、これに対応して移動部材６の下降速度を「遅い」、「ふつう」、「速い」の３種類に対応させて定めている。
【００２９】
印刷装置に設定され、排紙装置１においても利用される印刷情報のうち、前記テーブルデータの分類項目である紙質（紙質重量）は、印刷装置で指定される用紙種類から決定することができる。印刷装置において、印刷時に使用する用紙の用紙種類を指定すれば、排紙装置１の制御手段１２の制御部１６は、この用紙種類に対応する紙質（紙質重量）を記憶部１５のテーブルデータで指定し、これに対応する移動部材６の下降速度を決定することができる。なお、前記テーブルデータの分類項目である紙質（紙質重量）は、印刷装置の操作部１４においてユーザーが直接設定するものとしてもよい。
【００３０】
又は、排紙装置１の制御手段１２において、用紙種類を指定する用紙種類指定モードを設けておき、排紙装置１の制御手段１２の操作部１４によってユーザーが用紙選択モードを選択し、同モードにおいてＡ４，Ｂ５等の用紙サイズを指定して用紙種類を選択できるようにしてもよい。このようにして用紙種類を選択した場合には、選択された用紙種類に対応した用紙質量に応じて移動部材６の下降速度がテーブルデータから自動的に選択され、移動部材６の下降制御が行なわれる。
【００３１】
図５に示すように、このデータテーブルの上欄では、印刷速度を遅い方から速い方まで段階的に１から５までの数値で分類している。しかしながら、この実施形態では印刷速度と用紙の落下速度との間には有意の関係がないものとし、印刷速度によって移動部材６の下降速度に違いをつけることはせず、上述したように紙質（用紙重量）だけで移動部材６の下降速度を設定するものとした。但し、印刷速度と用紙の落下速度との間に何らかの比例的な関係が存在するような条件下では、紙質（用紙重量）と落下速度との関係に加え、さらに印刷速度に対応して移動部材６の下降速度が異なるようにテーブルデータを設定してもよい。
【００３２】
印刷装置に設定される印刷情報のうち、印刷速度情報は毎分の印刷枚数を規定するｐｐｍ（プリントパーミニッツ）で与えることができる。本実施形態では、前記テーブルデータに示す通り、印刷速度を１から５の５段階に設定しているが、例えば印刷速度１は６０ｐｐｍであり、印刷速度５は１８０ｐｐｍであり、その間は段階的に設定されている。例えば、印刷速度１で６０ｐｐｍの場合、１分間に６０枚印刷して排出する速度であるから、排出される用紙と用紙の時間間隔は概ね１秒となる。従って、その場合には、排紙装置１の制御部１６は、ファーストプリントが排出される１秒前から、前記テーブルデータで与えられた下降速度で移動部材６を所定位置から下降させる。移動部材６の下降の始動タイミングをこのように制御し、かつ移動速度の下降速度を前記テーブルデータによって紙質に応じて制御すれば、ファーストプリントでありながら、正規に排紙された２枚目以降の用紙と同様の安定した気流条件に乗って安定した状態で落下することができる。
【００３３】
そして制御手段１２は、以下に詳述するように、搬送部１３及び駆動部７を制御し、用紙を排出させるとともに適切なタイミング及び速度で移動部材６を下降させ、排紙台２上に適切な下降流を形成し、用紙を排紙台２上に良好な排紙揃えで積載させる制御を行なう。
【００３４】
図６は、制御手段１２に制御された排紙装置１の作動順序を示す図である。この図を参照して排紙装置１における排紙の状況をファーストプリントの印刷から排紙台２上に３枚目が排出されるまでを順に説明する。
【００３５】
図６（１）はファーストプリントが排紙台２上に排紙される直前の状況を示す図である。この状態に至る前の時点で、まず図示しない印刷装置がユーザーからの指示を受けて印刷ジョブを開始する。始動した印刷装置は、印刷ジョブで与えられている印刷情報、すなわち印刷速度情報（ＰＰＭ）と用紙種類に基づいて印刷を実行し、印刷済みの用紙をファーストプリント（一枚目の排出紙）Ｐ１として排紙装置１の搬送部１３に送る。排紙装置１は、印刷装置の印刷情報を取得し、制御手段１２によって排紙手段１１を制御し、ファーストプリントＰ１が搬送部１３によって実際に排紙台２上に排出される前に、以下に説明するように移動部材６の下降制御を行なう。
【００３６】
図６（１）に示すように、制御部１６は、昇降機構８を伸展させており、搬送部１３が用紙を搬送乃至排出する高さと同位置に移動部材６を設定している。制御部１６は、印刷装置から印刷速度情報を得て記憶部１５に保持しているので、このデータから用紙の排出時間間隔を認識し、ファーストプリントＰ１が排出されるタイミングよりも同時間だけ早いタイミングで、モータ９を制御して移動部材６の下降を開始する。この時の下降速度は、制御部１６が、印刷装置から得た用紙種類の情報に対応する用紙質量に基づき、テーブルデータから決定した下降速度である。
【００３７】
図６（２）は移動部材６が下降することによって排紙台２の上に２枚目以降と同様の好ましい下降気流Ｗが生じている状態を示している。好ましい下降気流Ｗは、矢印にて示すように、搬送部１３の搬送面と同等の高さであって、排紙台２の中央部の真上の位置を囲む排紙方向Ｄについて前後の両位置から共に内方に向かい、その後で真下の方向に向かう。ファーストプリントＰ１は、その略半分が搬送部１３から排紙台２の上に突出しているが、排紙台２上に排出された後は、浮き上がりや飛び出し等の不都合な現象を発生することなく、この下降気流Ｗに乗って一定の状態で安定して落下していく。
【００３８】
図６（３）は移動部材６が下降することにより、排紙台２の上に前述した下降気流Ｗが生じ、これに導かれてファーストプリントＰ１が正規の態様で落下している状態を示す。このファーストプリントＰ１が、移動部材６が最初に生成した下降気流Ｗと同様の下降気流Ｗを排紙台２の上に続けて生成する。２枚目の排出紙Ｐ２は搬送部１３に搬送されてその略半分が搬送部１３から排紙台２の上に突出している。
【００３９】
図６（４）はファーストプリントＰ１が排紙台２の底面の上に良好な排紙揃えで積載された後、２枚目の排出紙Ｐ２が正規の態様で落下しながら、ファーストプリントＰ１の落下時に生成された好ましい下降気流Ｗと同じ下降気流Ｗを生じさせている状態を示す。３枚目の排出紙Ｐ３は搬送部１３に搬送されてその略半分が搬送部１３から排紙台２の上に突出している。
【００４０】
以後、同様に、搬送部１３から排紙台２の上に排出された用紙（排出紙）は、前に排出された用紙が排紙台２上に生成している下降気流Ｗに乗り、安定した正規の態様で落下し、排紙台２の底面の上に整然と揃って重なっていく。各用紙の重なりがずれたり、用紙の一部が折れて上の用紙の重さで潰されるなどの不都合な現象が発生することはない。
【００４１】
このように、本実施形態によれば、排紙台２の底面に上下方向に伸縮する昇降機構８を設け、その上に用紙の挙動を再現するための弾性部材からなる移動部材６を取り付けた。そして、移動部材６を用紙が排出される搬送部１３の出口の高さまで移動させ、ファーストプリントＰ１が排出される直前に排紙台２の底面まで下降させることにより、用紙が正しく積載される過程で発生する空気の望ましい流れと同等の流れを排紙台２上に発生させることができる。
【００４２】
また、以上説明した実施形態では、移動部材６の下降速度は、用紙種類に対応する用紙質量（又はこれに対応する薄い、厚い等の紙質）に応じて設定するものとしたが、さらに、Ａ４、Ｂ４等の用紙の寸法を規定するサイズを他の用紙種類として採用し、これに対応して定めるものとしてもよい。一般的には、用紙の落下速度を規定するものを用紙質量と考え、まず用紙質量で落下速度を規定し、さらに用紙サイズでこの落下速度を補助的に補正したデータをテーブル形式で準備しておくことが考えられる。その場合には、印刷装置からの印刷情報又は操作部１４からの入力により、用紙質量とサイズが指定されれば、前記テーブル形式のデータを参照することで、用紙の実際の落下速度により忠実に従った態様で移動部材６の落下移動を制御することができる。従って、正規の状態で２枚目以降に排出された用紙が受ける気流を一枚目から得ることができ、これにより一枚目の排紙を正規に排紙された２枚目以降と同様に行なうことができるため、印刷始めの排紙揃え悪化を低減し、不揃いに重なった用紙の上に積載された用紙の重さによる紙折れなどを防ぐことができる。
【００４３】
また、以上説明した実施形態では、ファーストプリントＰ１の前に移動部材６が下降して排紙台２上に好ましい下降気流Ｗを作り、ファーストプリントＰ１から２枚目以降の用紙の落下状態を良好な状態にして排紙揃えを良好にしたが、本発明は２枚以上の印刷、排紙を前提とするものとは限らない。印刷が１枚だけでも、用紙の飛び出し等の問題が発生する可能性はあるので、本実施形態のようにファーストプリントＰ１の前に移動部材６が下降して排紙台２上に好ましい下降気流Ｗを作れば、ファーストプリントＰ１の１枚だけでも排紙台２からの飛び出しを確実に防止して排紙台２上の正規の位置に積載させることができることは言うまでもない。
【００４４】
なお、以上説明した実施形態では、排紙装置１が取り付けられる印刷装置として孔版印刷装置を例示したが、特にこれに限定するものではなく、排紙台上に印刷済みの用紙を排出し、次々に落下させて積載させていく方式が適用可能な印刷装置であれば、本発明の対象となる。
【符号の説明】
【００４５】
１…排紙装置
２…排紙台
６…移動部材
８…移動部材の駆動手段としての昇降機構
９…移動部材の駆動手段としてのモータ
１２…制御手段
１５…移動部材の下降速度のテーブルデータが記憶された記憶部
Ｐ…用紙としての排出紙
Ｐ１…一枚目の排出紙であるファーストプリント
【図１】
2013159429.tif 000003
【図２】
2013159429.tif 000004
【図３】
2013159429.tif 000005
【図４】
2013159429.tif 000006
【図５】
2013159429.tif 000007
【図６】
2013159429.tif 000008
【図７】
2013159429.tif 000009